(57)【要約】【課題】簡易に、複数の印刷装置に同一のロゴデータを登録できるようにする。【解決手段】プリンター１１は、１又は複数のロゴデータ２２ａのそれぞれと、各ロゴデータ２２ａを識別する識別情報２２ｂとを対応付けて記憶する記憶部２２と、ホストコンピューター１２から、識別情報２２ｂを指定する情報を含む特定のコマンドを受信した場合、指定された識別情報２２ｂに対応付けられたロゴデータ２２ａを他のプリンター１１に登録させる登録制御コマンドを生成し、ホストコンピューター１２に送信する制御部２０と、を備えている。【選択図】図２
2014188692.tif 000002
【特許請求の範囲】
【請求項１】
制御装置に接続可能に構成された印刷装置であって、
１又は複数のロゴデータと、前記ロゴデータを識別する識別情報とをそれぞれ対応付けて記憶する記憶部と、
前記制御装置から、前記識別情報を指定する情報を含む特定のコマンドを受信した場合、指定された前記識別情報に対応付けられた前記ロゴデータを他の印刷装置に記憶させる制御コマンドを生成し、前記制御装置に送信する制御部と、
を備えることを特徴とする印刷装置。
【請求項２】
前記制御部は、
前記制御装置から、前記識別情報を指定する情報、及び、前記他の印刷装置の機種を指定する情報を含む特定のコマンドを受信した場合、指定された前記識別情報に対応付けられた前記ロゴデータを前記他の印刷装置に記憶させる制御コマンドを、指定された機種のコマンド体系に準拠して生成し、前記制御装置に送信することを特徴とする請求項１に記載の印刷装置。
【請求項３】
前記制御部は、
指定された機種のコマンド体系に準拠して制御コマンドを生成できない場合、その旨を示す情報、及び、指定された前記識別情報に対応付けられた前記ロゴデータを含むデータを生成し、前記制御装置に送信することを特徴とする請求項２に記載の印刷装置。
【請求項４】
制御装置に接続可能に構成された印刷装置の制御方法であって、
１又は複数のロゴデータと、前記ロゴデータを識別する識別情報とをそれぞれ対応付けて記憶し、
前記制御装置から、前記識別情報を指定する情報を含む特定のコマンドを受信した場合、指定された前記識別情報に対応付けられた前記ロゴデータを他の印刷装置に記憶させる制御コマンドを生成し、前記制御装置に送信することを特徴とする印刷装置の制御方法。
【請求項５】
制御装置に接続可能に構成され、１又は複数のロゴデータと、前記ロゴデータを識別する識別情報とをそれぞれ対応付けて記憶する記憶部を備える印刷装置を制御する制御部により実行されるプログラムであって、
前記制御部に、
前記制御装置から、前記識別情報を指定する情報を含む特定のコマンドを受信した場合、指定された前記識別情報に対応付けられた前記ロゴデータを他の印刷装置に記憶させる制御コマンドを生成させ、前記制御装置に送信させることを特徴とするプログラム。
【発明の詳細な説明】
【技術分野】
【０００１】
本発明は、制御装置に接続可能な印刷装置、当該印刷装置の制御方法、及び、当該印刷装置の制御に係るプログラムに関する。
【背景技術】
【０００２】
従来、レシートにトップロゴや、ボトムロゴ等のロゴを印刷する印刷装置が知られている（例えば、特許文献１参照）。
この種の印刷装置では、予め、各ロゴのロゴデータを記憶しておき、ロゴを記録媒体に印刷する場合、記憶したロゴデータのうち対応するものに基づいて、ロゴの印刷を実行するものがある。
【先行技術文献】
【特許文献】
【０００３】
【特許文献１】特開２００５−２２８０２１号公報
【発明の概要】
【発明が解決しようとする課題】
【０００４】
ところで、ショッピングセンターやスーパーマーケット等の店舗では、レシートを発行する印刷装置が、多数、設置される場合がある。そして、通常、１の店舗に設けられた各印刷装置が発行するレシートに印刷されるロゴ（例えば、トップロゴ）は、同一とされる。ここで、従来は、各印刷装置に同一のロゴデータを登録する場合、所定のツール等を利用して、印刷装置ごとにロゴデータを登録していたが、この方法は煩雑であった。
本発明は、上述した事情に鑑みてなされたものであり、簡易に、複数の印刷装置に同一のロゴデータを登録できるようにすることを目的とする。
【課題を解決するための手段】
【０００５】
上記目的を達成するために、本発明は、制御装置に接続可能に構成された印刷装置であって、１又は複数のロゴデータと、前記ロゴデータを識別する識別情報とをそれぞれ対応付けて記憶する記憶部と、前記制御装置から、前記識別情報を指定する情報を含む特定のコマンドを受信した場合、指定された前記識別情報に対応付けられた前記ロゴデータを他の印刷装置に記憶させる制御コマンドを生成し、前記制御装置に送信する制御部と、を備えることを特徴とする。
この構成によれば、印刷装置は、制御装置に対して、自身が記憶するロゴデータを、他の印刷装置に記憶させる制御コマンドを生成して、制御装置に送信する。このため、他の印刷装置に同一のロゴデータを登録する場合、制御装置から、当該制御装置が受信した制御コマンドを他の印刷装置に送信すればよい。従って、所定のツールを利用して印刷装置ごとにロゴデータを登録する必要が無く、煩雑な作業を経ることなく、簡易に、複数の印刷装置に同一のロゴデータを登録できる。
【０００６】
また、本発明は、前記制御部は、前記制御装置から、前記識別情報を指定する情報、及び、前記他の印刷装置の機種を指定する情報を含む特定のコマンドを受信した場合、指定された前記識別情報に対応付けられた前記ロゴデータを前記他の印刷装置に記憶させる制御コマンドを、指定された機種のコマンド体系に準拠して生成し、前記制御装置に送信することを特徴とする。
ここで、複数の印刷装置について、機種の相違に起因して、各印刷装置のコマンド体系が異なる場合があるが、上記構成によれば、１の印刷装置から受信した制御コマンドを利用して、機種の異なる他の印刷装置にロゴデータを登録することができる。
【０００７】
また、本発明は、前記制御部は、指定された機種のコマンド体系に準拠して制御コマンドを生成できない場合、その旨を示す情報、及び、指定された前記識別情報に対応付けられた前記ロゴデータを含むデータを生成し、前記制御装置に送信することを特徴とする。
この構成によれば、指定された機種のコマンド体系に準拠して制御コマンドを生成できない場合であっても、制御装置がそのことを認識でき、かつ、対応する処理を実行することが可能となる。
【０００８】
また、上記目的を達成するために、本発明は、制御装置に接続可能に構成された印刷装置の制御方法であって、１又は複数のロゴデータと、前記ロゴデータを識別する識別情報とをそれぞれ対応付けて記憶し、前記制御装置から、前記識別情報を指定する情報を含む特定のコマンドを受信した場合、指定された前記識別情報に対応付けられた前記ロゴデータを他の印刷装置に記憶させる制御コマンドを生成し、前記制御装置に送信することを特徴とする。
この制御方法によれば、印刷装置は、制御装置に対して、自身が記憶するロゴデータを、他の印刷装置に記憶させる制御コマンドを生成して、制御装置に送信する。このため、他の印刷装置に同一のロゴデータを登録する場合、制御装置から、当該制御装置が受信した制御コマンドを他の印刷装置に送信すればよい。従って、所定のツールを利用して印刷装置ごとにロゴデータを登録する必要が無く、煩雑な作業を経ることなく、簡易に、複数の印刷装置に同一のロゴデータを登録できる。
【０００９】
また、上記目的を達成するために、本発明は、制御装置に接続可能に構成され、１又は複数のロゴデータと、前記ロゴデータを識別する識別情報とをそれぞれ対応付けて記憶する記憶部を備える印刷装置を制御する制御部により実行されるプログラムであって、前記制御部に、前記制御装置から、前記識別情報を指定する情報を含む特定のコマンドを受信した場合、指定された前記識別情報に対応付けられた前記ロゴデータを他の印刷装置に記憶させる制御コマンドを生成させ、前記制御装置に送信させることを特徴とする。
このプログラムを実行すれば、印刷装置は、制御装置に対して、自身が記憶するロゴデータを、他の印刷装置に記憶させる制御コマンドを生成して、制御装置に送信する。このため、他の印刷装置に同一のロゴデータを登録する場合、制御装置から、当該制御装置が受信した制御コマンドを他の印刷装置に送信すればよい。従って、所定のツールを利用して印刷装置ごとにロゴデータを登録する必要が無く、煩雑な作業を経ることなく、簡易に、複数の印刷装置に同一のロゴデータを登録できる。
【発明の効果】
【００１０】
本発明によれば、簡易に、複数の印刷装置に同一のロゴデータを登録できるようになる。
【図面の簡単な説明】
【００１１】
【図１】本実施形態に係る制御システムの構成を示す図である。
【図２】プリンター及びホストコンピューターの機能ブロック図である。
【図３】プリンター及びホストコンピューターの動作を示すフローチャート。
【発明を実施するための形態】
【００１２】
以下、図面を参照して本発明の実施形態について説明する。
図１は、本実施形態に係る制御システム１の構成を模式的に示す図である。
制御システム１は、ショッピングセンターや、スーパーマーケット、コンビニエンスストア等の店舗に適用されるシステムであり、少なくとも、店舗に来店した顧客に対してレシートを発行する機能を備えている。
制御システム１は、レシートを発行可能なプリンター１１（印刷装置）を複数備えており、これらプリンター１１のそれぞれには、これらプリンター１１を制御するホストコンピューター１２（制御装置）が接続されている。
プリンター１１は、サーマルプリンターであり、対応するホストコンピューター１２の制御の下、感熱ロール紙の印刷面にサーマルヘッドによって熱を与えて画像を印刷した上で、所定の位置で感熱ロール紙を切断することにより、レシートを発行する。
店舗において、プリンター１１、及び、ホストコンピューター１２は、店舗に設けられた複数のレジカウンターごとに設置されており、プリンター１１は、ホストコンピューター１２の制御の下、所定のタイミングで、レシートを発行する。
また、図１に示すように、制御システム１は、管理サーバー１４を備えている。管理サーバー１４は、制御システム１を統括的に管理するサーバーであり、商品ＤＢや、顧客ＤＢ等のレシートの発行に必要なデータが格納されたデータベースを備えている。この管理サーバー１４と、ホストコンピューター１２のそれぞれとは、ＬＡＮ等のネットワーク１５を介して通信可能に接続されている。
【００１３】
図２は、プリンター１１、及び、ホストコンピューター１２の機能的構成を示すブロック図である。
図２に示すように、プリンター１１は、制御部２０と、プリントエンジン２１と、記憶部２２と、を備えている。
制御部２０は、プリンター１１の各部を中枢的に制御するものであり、演算実行部としてのＣＰＵや、このＣＰＵに実行されるファームウェアや、このファームウェアに係るデータ等を不揮発的に記憶するＲＯＭ、ＣＰＵに実行されるファームウェアやこのプログラムに係るデータ等を一時的に記憶するＲＡＭ、その他の周辺回路等を備えている。プリントエンジン２１は、上述したサーマルヘッドのほか、感熱ロール紙を所定方向に搬送する搬送機構、感熱ロール紙を切断する切断機構等の各種機構を備えている。制御部２０は、ホストコンピューター１２から受信した制御コマンドに基づいて、各種センサーの検出値を監視しながら、サーマルヘッドや、各種機構を制御して、感熱ロール紙に所定の画像を印刷し、所定の位置で感熱ロール紙を切断することにより、所定の画像が印刷された紙片であるレシートを発行する。記憶部２２は、ＥＥＰＲＯＭや、ハードディスク等の不揮発性メモリーを備え、各種データを書き換え可能に不揮発的に記憶する。記憶部２２には、プリンター１１の動作を制御するためのファームウェアのほか、ロゴデータ２２ａ、及び、識別情報２２ｂが記憶されている。これらロゴデータ２２ａ、識別情報２２ｂについては後述する。なお、プリンター１１は、図示せぬ通信インターフェイスを備え、この通信インターフェイスを介してホストコンピューター１２と所定の通信規格に準拠して通信する。
【００１４】
また、図２に示すように、ホストコンピューター１２は、ホスト側制御部３０と、ホスト側入力部３１と、ホスト側表示部３２と、ホスト側記憶部３３と、を備えている。
ホスト側制御部３０は、ホストコンピューター１２の各部を中枢的に制御するものであり、上述した制御部２０と同様、ＣＰＵや、ＲＯＭ、ＲＡＭ、その他の周辺回路等を備えている。ホスト側入力部３１は、キーボードや、バーコードリーダー等の入力デバイスに接続され、これら入力デバイスからの入力を検出して、ホスト側制御部３０に出力する。ホスト側表示部３２は、液晶表示パネル等の表示パネルを備え、ホスト側制御部３０の制御の下、表示パネルに各種情報を表示する。ホスト側記憶部３３は、ＥＥＰＲＯＭや、ハードディスク等の不揮発性メモリーを備え、各種データを書き換え可能に不揮発的に記憶する。なお、ホストコンピューター１２は、図示せぬ通信インターフェイスを備え、この通信インターフェイスを介してプリンター１１及び管理サーバー１４と所定の通信規格に準拠して通信する。
【００１５】
次に、レシートの発行において、画像を印刷するときのホストコンピューター１２、及び、プリンター１１の基本的な動作について説明する。
上述したように、プリンター１１の記憶部２２には、ロゴデータ２２ａ（ロゴデータ）が、複数、記憶されている。ロゴデータ２２ａは、レシートの発行に際し、レシートに定型的に印刷される画像の画像データのことである。レシートに定型的に印刷される画像とは、例えば、トップロゴや、ボトムロゴ、広告、クーポン等である。ロゴデータ２２ａの具体的な態様は、画像バッファーに展開可能な実データ（ビットマップデータ等）である。記憶部２２において、ロゴデータ２２ａのそれぞれには、各データに一意に割り振られた識別情報２２ｂが対応付けて記憶されている。
図２において、ロゴデータ２２ａのうち、１つのロゴデータ２２ａは、トップロゴに係るロゴデータＴＬａであり、このロゴデータＴＬａの識別情報２２ｂは、識別情報ＴＬｂである。
以下、ホストコンピューター１２と、プリンター１１とが協働して、ある１のロゴデータ２２ａに基づいて画像を印刷するときの基本的な動作について説明する。
まず、ホストコンピューター１２のホスト側制御部３０は、予めインストールされているプリンタードライバーの機能により、印刷させようとしている画像に対応するロゴデータ２２ａに割り振られた識別情報２２ｂを指定し、この識別情報２２ｂに対応付けられたロゴデータ２２ａに基づいて画像を記録することを指示する制御コマンドを生成し、プリンター１１に送信する。
当該制御コマンドを受信したプリンター１１の制御部２０は、当該制御コマンドに含まれる識別情報２２ｂに基づいて、記憶部２２に記憶されたロゴデータ２２ａのうち、当該識別情報２２ｂと対応付けられたロゴデータ２２ａを特定する。次いで、制御部２０は、特定したロゴデータ２２ａに必要な画像処理を施してイメージデータを生成し、生成したイメージデータを図示せぬ画像バッファーに展開する。次いで、制御部２０は、画像バッファーに展開したイメージデータに基づいて、図示せぬヘッド駆動回路を制御してサーマルヘッドを駆動するともに、適切なタイミングで各種機構を制御して、感熱ロール紙にロゴデータ２２ａが示す画像を印刷する。
【００１６】
さて、本実施形態に係る制御システム１は、１つの店舗に適用されたシステムであるが、制御システム１が備えるプリンター１１のそれぞれが発行するレシートに印刷されるロゴデータを同一とすることが求められる。従って、各プリンター１１が記憶するロゴデータＴＬａについては、同一のデータとする必要がある。
そして、従来は、制御システム１の店舗への適用に際し、プリンター１１にロゴデータＴＬａを登録するときは、プリンター１１のそれぞれについて、対応するホストコンピューター１２のそれぞれに、事前にロゴデータＴＬａを記憶させた上で、ユーザーが、各ホストコンピューター１２を操作して、ロゴデータＴＬａの一致性を確認しつつ、ロゴデータＴＬａを登録していた。しかしながら、従来のやり方は煩雑であった。
以上を踏まえ、本実施形態に係るプリンター１１、及び、ホストコンピューター１２は、以下の動作を実行する。
【００１７】
図３は、プリンター１１、及び、ホストコンピューター１２の動作を示すフローチャートであり、（Ａ）はホストコンピューター１２の動作を、（Ｂ）はプリンター１１の動作をそれぞれ示している。
以下の説明では、ユーザーが、複数のプリンター１１に対して、同一のロゴデータＴＬａ（トップロゴに係るロゴデータ）を、登録（記憶）しようとしているものとする。
当該作業に際し、ユーザーは、複数のプリンター１つのプリンター１１に対して、ロゴデータＴＬａの登録を行なう。このロゴデータＴＬａの登録は、ホストコンピューター１２にインストールされているプリンタードライバーの機能を利用して行なわれる。ロゴデータＴＬａの登録に伴って、一意な識別情報ＴＬｂが付与され、ロゴデータＴＬａと対応付けて記憶される。ユーザーは、プリンタードライバーの機能を利用した所定の手段により、付与された識別情報ＴＬｂを取得する。
その後、ユーザーは、ロゴデータＴＬａを事前に登録したプリンター１１に接続されたホストコンピューター１２に対して、当該ロゴデータＴＬａの識別情報ＴＬｂ、及び、同一のロゴデータＴＬａを登録しようとしている他のプリンター１１の機種を入力する。なお、プリンター１１の機能により、これら情報を入力するための適切なユーザーインターフェースが提供される。さらに、ユーザーは、ホストコンピューター１２に対して、後述する特定の制御コマンドをプリンター１１に対して送信する旨の指示を行なう（ステップＳＸ１）。
なお、図３（Ｂ）のフローチャートは、ユーザーによってロゴデータＴＬａが事前に登録されたプリンター１１の動作を示すフローチャートである。
【００１８】
ユーザーによって上記指示が行なわれると、ホストコンピューター１２のホスト側制御部３０は、ユーザーによって入力された識別情報ＴＬｂを指定する情報、及び、他のプリンター１１の機種を指定する情報を含んで構成された特定の制御コマンドを生成する（ステップＳＡ１）。次いで、ホスト側制御部３０は、生成した特定の制御コマンドを、プリンター１１に送信する（ステップＳＡ２）。
特定の制御コマンドを受信すると（ステップＳＢ１）、プリンター１１の制御部２０は、自身に、指定された機種のプリンター１１のコマンド体系に準拠した登録制御コマンド（後述）を生成する機能が実装されているか否かを判別する（ステップＳＢ２）。例えば、プログラム上に、対応する機種の一覧が記述されたテーブルが定義されており、制御部２０は、当該テーブルを参照して、ステップＳＢ２の判別を行なう。
さて、指定された機種に係る登録制御コマンド（後述）を生成する機能が実装されている場合（ステップＳＢ２：ＹＥＳ）、制御部２０は、記憶部２２にアクセスして、指定された識別情報ＴＬｂと対応付けられたロゴデータＴＬａを取得する（ステップＳＢ３）。次いで、制御部２０は、登録制御コマンドを生成する（ステップＳＢ４）。登録制御コマンドとは、取得したロゴデータＴＬａを、指定された機種の他のプリンター１１に登録（記憶）させる制御コマンドであり、当該機種のコマンド体系に準拠している。次いで、制御部２０は、生成した登録制御コマンドを含んで構成された送信データを、ホストコンピューター１２に送信する（ステップＳＢ５）。
【００１９】
以下、登録制御コマンドをホストコンピューター１２に対して送信したプリンター１１を「代表プリンター」という。
上記のように、本実施形態では、プリンター１１は、自身に登録されているロゴデータ２２ａについて、ロゴデータ２２ａを特定の機種の他のプリンター１１に登録させる登録制御コマンドを生成し、送信する機能を有している。
このため、ユーザーは、代表プリンター以外の他のプリンター１１にロゴデータ２２ａを登録する際、まず、代表プリンターから登録制御コマンドを受信したホストコンピューター１２と、当該他のプリンター１１を接続する。そして、ユーザーは、代表プリンターから受信した登録制御コマンドを、当該他のプリンター１１に送信させるという簡易な作業により、他のプリンター１１に、代表プリンターと同一のロゴデータ２２ａを登録することができる。すなわち、ユーザーは、ホストコンピューター１２のそれぞれに、同一のロゴデータ２２ａを記憶させる必要が無く、煩雑な作業を回避できる。また、本実施形態によれば、代表プリンターに登録されているロゴデータ２２ａと、代表プリンターが生成した登録制御コマンドによって登録されるロゴデータ２２ａとは、確実に同一である。従って、ユーザーは、例えば、各プリンター１１へのロゴデータ２２ａの登録後、各プリンターに実際にロゴを印刷させた上で、その一致性を確認する必要が無く、煩雑な作業を回避できる。
特に、本実施形態によれば、制御システム１に新たなプリンター１１を追加する場合に、当該新たなプリンター１１のホストコンピューター１２が用意できていない場合であっても、当該プリンター１１に対して簡易な手段で、代表プリンターと同一のロゴデータ２２ａを登録することができ、非常に有効である。
なお、代表プリンターから登録制御コマンドを受信したホストコンピューター１２が、ネットワーク１５を介して直接に、又は、管理サーバー１４を介して間接的に、他のホストコンピューター１２に登録制御コマンドを送信する構成であってもよい。
【００２０】
さて、図３を参照し、ステップＳＢ２において、指定された機種に係る登録制御コマンドを生成する機能が実装されていない場合（ステップＳＢ２：ＮＯ）、制御部２０は、当該機能が実装されていない旨を示す情報、及び、指定された識別情報ＴＬｂに対応付けられたロゴデータＴＬａを含んで構成された送信データを生成する（ステップＳＢ６）。次いで、制御部２０は、生成した送信データをホストコンピューター１２に送信する（ステップＳＢ７）。
プリンター１１が、指定された機種に係る登録制御コマンドを生成できない場合、上述したデータが、ホストコンピューター１２に送信されるため、ホストコンピューター１２は、プリンター１１が対応する有効な処理を実行できる。例えば、ホストコンピューター１２のホスト側制御部３０は、表示パネルにその旨表示してユーザーに報知する。また例えば、ホストコンピューター１２は、ネットワーク１５を介して、他のホストコンピューター１２に、プリンター１１から受信したロゴデータ２２ａ（本例では、ロゴデータＴＬａ）を送信し、記憶させる。他のホストコンピューター１２は、記憶したロゴデータ２２ａに基づいて、対応するプリンター１１に、代表プリンターのロゴデータ２２ａと確実に同一なロゴデータ２２ａを登録することが可能となる。
【００２１】
以上説明したように、本実施形態によれば、プリンター１１は、１又は複数のロゴデータ２２ａのそれぞれと、各ロゴデータ２２ａを識別する識別情報２２ｂとを対応付けて記憶する記憶部２２と、ホストコンピューター１２から、識別情報２２ｂを指定する情報を含む特定のコマンドを受信した場合、指定された識別情報２２ｂに対応付けられたロゴデータ２２ａを他のプリンター１１に登録させる登録制御コマンドを生成し、ホストコンピューター１２に送信する制御部２０と、を備えている。
この構成によれば、ユーザーは、所定のツールを利用してプリンター１１ごとにロゴデータ２２ａを登録する必要が無く、煩雑な作業を経ることなく、簡易に、複数のプリンター１１に同一のロゴデータを登録できる。
【００２２】
また、本実施形態では、制御部２０は、ホストコンピューター１２から、識別情報２２ｂを指定する情報、及び、他のプリンター１１の機種を指定する情報を含む特定のコマンドを受信した場合、指定された識別情報２２ｂに対応付けられたロゴデータ２２ａを他のプリンター１１に登録させる登録制御コマンドを、指定された機種のコマンド体系に準拠して生成し、ホストコンピューター１２に送信する。
この構成によれば、１のプリンター１１から受信した登録制御コマンドを利用して、機種の異なる他のプリンター１１にロゴデータ２２ａを登録することができる。
【００２３】
また、本実施形態では、制御部２０は、指定された機種のコマンド体系に準拠して登録制御コマンドを生成できない場合、その旨を示す情報、及び、指定された識別情報２２ｂに対応付けられたロゴデータ２２ａを含むデータを生成し、ホストコンピューター１２に送信する。
この構成によれば、指定された機種のコマンド体系に準拠して登録制御コマンドを生成できない場合であっても、ホストコンピューター１２がそのことを認識でき、かつ、対応する処理を実行することが可能となる。
【００２４】
なお、上述した実施の形態は、あくまでも本発明の一態様を示すものであり、本発明の範囲内で任意に変形および応用が可能である。
例えば、プリンター１１は、レシート発行用のサーマルプリンターであったが、プリンター１１の目的、印刷形式は何であってもよい。また、制御システム１は、店舗に適用されたシステムであったが、本発明が適用されるシステムも例示したものに限られない。すなわち、本発明は、ロゴデータを記憶する機能を有する印刷装置、及び、このような印刷装置を備えるシステムに広く適用可能である。また例えば、図２に示す各機能ブロックはハードウェアとソフトウェアの協働により任意に実現可能であり、特定のハードウェア構成を示唆するものではない。また、プリンター１１や、ホストコンピューター１２の各機能ブロックの機能を、これら装置に外部接続される別の装置に持たせるようにしてもよい。また、プリンター１１や、ホストコンピューター１２は、外部接続される記憶媒体に記憶させたプログラムを実行することにより、各種動作を実行してもよい。
【符号の説明】
【００２５】
１…制御システム、１１…プリンター（印刷装置）、１２…ホストコンピューター（制御装置）、１４…管理サーバー、２０…制御部、２２…記憶部、２２ａ…ロゴデータ
２２ｂ  識別情報、３０…ホスト側制御部。
【図１】
2014188692.tif 000003
【図２】
2014188692.tif 000004
【図３】
2014188692.tif 000005